(57)【要約】【課題】  植物の栽培場所と遠方の夫々から効果的に植物を監視制御できること。【解決手段】  植物栽培ユニットの側面に外部から視認可能に窓穴を形成し、当該窓穴を遮蔽する位置に透明液晶パネルと、透明タッチパネルを配置する。温度等の環境データは、透明タッチパネルへ表示される一方、サーバ装置を介して植物を撮影した画像データと共に端末装置へ送信される。端末から送られてくる制御指令は植物栽培ユニットへ送られる。植物栽培ユニットでは、タッチパネルから入力される制御指令およびサーバ装置送られてくる制御指令を時系列的に設定キューとして登録し、該設定キューを実行することによりＬＥＤ照明、ヒーター、送風ファン等の被制御機器を制御する。【選択図】      図１
2014217309.tif 000002
【特許請求の範囲】
【請求項１】
水槽と、該水槽の上方に取り付けられ植物に向けて照らす人工照明装置と、温度、湿度を含む環境データと植物の撮影画像を入力し、制御指令に基づいて前記人工照明装置を制御する制御装置と、を有する植物栽培ユニットと、
当該植物栽培ユニットと通信回線を介して接続し、前記植物栽培ユニットから送られてくる環境データおよび撮影画像を受信して端末装置へ表示出力するサーバ装置と、
を有する植物栽培システムであって、
前記サーバ装置は、前記植物栽培ユニットから送られてくる前記画像データおよび前記環境データを前記端末装置へ表示出力する一方、前記端末装置から送られてくる制御指令を受信して前記植物栽培ユニットへ制御指令を送信し、
前記植物栽培ユニットの側面には、栽培している植物を外部から視認可能に窓穴が形成され、当該窓穴を遮蔽する位置に透明液晶パネルと、該透明液晶パネルの外側表面に透明タッチパネルが配置され、前記制御装置は、前記透明液晶パネルへ環境データを表示出力すると共に、前記タッチパネルから入力された制御指令または前記サーバ装置送られてくる制御指令を時系列的に設定キューとして登録し、該設定キューを実行することにより、前記人工照明装置を制御することを特徴とする植物栽培システム。
【請求項２】
前記制御装置によって前記透明液晶パネル上に出力される監視画面は、環境データ表示領域と水槽内を視認可能にする透明領域からなり、前記環境データ表示領域は、前記透明領域よりも上側に配置されていることを特徴とする請求項１に記載の植物栽培システム。
【請求項３】
前記水槽は、植物へ供給するための水を蓄水するための下層ユニットと、該下層ユニットの上に重ねて使用され、栽培用スポンジを配設された上層ユニットから構成され、
前記上層ユニットには、水が一定の高さに達すると前記下層ユニット側へ水を流出させる排水管を有し、
さらに、前記下層ユニットの水を前記上層ユニット側へ汲み上げる揚水ポンプを備えたことを特徴とする請求項１または２に記載の植物栽培システム。
【発明の詳細な説明】
【技術分野】
【０００１】
本発明は、室内等の閉鎖的な空間内で光や温度などの植物の生育環境を栽培場所のみならず端末装置を用いて遠方からでも監視制御することのできる植物栽培システムに関する。
【背景技術】
【０００２】
従来、ＬＥＤ等の光源を用いて、植物の生育環境を人工的に制御する技術が提案されている。たとえば、特許文献１では、単一の施設内で品種や栽培時期、生育段階の異なる野菜を同時に栽培することを目的として、水槽の水面との間にクレートを設置し、クレートの上側に制御パネルを搭載した装置が開示されている。この制御パネルは、下面にＬＥＤランプ、ファン、カメラを備え、上面に炭酸ガスセンサ、温度センサ、湿度センサ、ＲＦユニットを備え、このＲＦユニットを介して中央のコンピュータと接続する構成になっている。
【０００３】
また、特許文献２には、太陽電池を各種センサの電源にすると共に、配線をコードレス化して植物の生育環境をコンピュータ制御する装置が開示されている。
【先行技術文献】
【特許文献】
【０００４】
【特許文献１】特開２０１０−２７９２６９号公報
【特許文献２】特開２０１１−１４７４１３号公報
【発明の概要】
【発明が解決しようとする課題】
【０００５】
上述の技術は、植物の生育状況の監視やコンピュータへの制御指令の入力を特定の場所から行うことを前提としているが、一般に植物を自宅等で栽培するような場合、屋内，屋外からこまめに植物の生育状況を監視したり、コンピュータへの制御指令を入力したりする必要がある。この場合、監視制御を行う場所に応じて多種多様なデータをいかに見やすく表示し、制御指令を設定しやすくするかなど監視制御のためのユーザインタフェースが問題となる。
【０００６】
本発明はかかる従来の事情に対処してなされたものであり、植物の栽培場所で監視制御する場合と、植物の栽培場所以外の場所（以下、「遠方」という。）で監視制御する場合の夫々の状況に応じて効果的に当該植物の育成者に情報を提供でき、育成者にとって利便性の高い植物栽培システムを提供することを目的とする。
【課題を解決するための手段】
【０００７】
上記目的を達成するため、本発明の植物栽培システムは、
水槽と、該水槽の上方に取り付けられ植物に向けて照らす人工照明装置と、温度、湿度を含む環境データと植物の撮影画像を入力し、制御指令に基づいて前記人工照明装置を制御する制御装置と、を有する植物栽培ユニットと、
当該植物栽培ユニットと通信回線を介して接続し、前記植物栽培ユニットから送られてくる環境データおよび撮影画像を受信して端末装置へ表示出力するサーバ装置と、
を有する植物栽培システムであって、
前記サーバ装置は、前記植物栽培ユニットから送られてくる前記画像データおよび前記環境データを前記端末装置へ表示出力する一方、前記端末装置から送られてくる制御指令を受信して前記植物栽培ユニットへ制御指令を送信し、
前記植物栽培ユニットの側面には、栽培している植物を外部から視認可能に窓穴が形成され、当該窓穴を遮蔽する位置に透明液晶パネルと、該透明液晶パネルの外側表面に透明タッチパネルが配置され、前記制御装置は、前記透明液晶パネルへ環境データを表示出力すると共に、前記タッチパネルから入力された制御指令または前記サーバ装置送られてくる制御指令を時系列的に設定キューとして登録し、該設定キューを実行することにより、前記人工照明装置を制御することを特徴とする。
【０００８】
本発明では、水槽側面に内部の植物視認可能に透明液晶パネルと透明タッチパネルを配置し、透明液晶パネルに環境データを表示すると共に育成者に直接植物を観察できるようにする一方、育成者がこれらの環境データや植物を確認しながらタッチパネルを通して制御指令を入力できるようにする。さらに遠方では、端末装置上に環境データと植物の撮影画像を表示し、端末装置から入力された制御指令は、植物栽培ユニット側で設定キューとして登録することによって栽培場所と遠方の両方から制御指令を出力できるようにする。
【０００９】
特に植物栽培ユニット側では撮影画像ではなく、透明液晶パネルを通して栽培中の植物を視認できるので、育成者はカメラ画像に比べて植物を詳細に観察でき、同時に環境データを確認しながら制御データの設定をすることが可能になる。
【００１０】
好ましくは、透明タッチパネルから制御指令が入力されたときは、サーバ装置に保存されている設定キューはクリアするのが良い。これにより、育成者が栽培状況をより詳細に確認することのできる植物栽培場所での操作を優先させ、植物栽培場所と遠方の両方から制御指令が入力されたときの制御指令の不整合を防止することができる。
【００１１】
なお、前記制御装置によって前記透明液晶パネル上に出力される監視画面は、環境データ表示領域と水槽内を視認可能にする透明領域からなり、前記環境データ表示領域は、前記透明領域よりも上側に配置されるようにすると良い。これにより人工照明光下でも環境データの視認性が良くなる。
【００１２】
また、本発明に係わる植物栽培システムの前記水槽は、植物へ供給するための水を蓄水するための下層ユニットと、該下層ユニットの上に重ねて使用され、栽培用スポンジを配設された上層ユニットから構成され、前記上層ユニットには、水が一定の高さに達すると前記下層ユニット側へ水を流出させる排水管を有し、さらに、前記下層ユニットの水を前記上層ユニット側へ汲み上げる揚水ポンプを備えたことを特徴とする。
【００１３】
これにより、水槽の養分水をすべての植物に満遍なく行き渡らせることができる。
【発明の効果】
【００１４】
以上のごとく、本発明によれば、植物の育成者は、植物栽培ユニット側面に備えられた透明液晶パネルによってユニット内で栽培されている植物を監視ながらタッチパネルを通して入力された設定値によって照明光や温度等を制御することができ、また遠方では、撮影画像によって栽培状況を確認しながら端末装置を通して入力された設定値によって制御することができるので、育成者にとって利便性の高い植物栽培システムを提供することができる。
【図面の簡単な説明】
【００１５】
【図１】本発明の実施の形態による植物栽培システムの装置構成図である。
【図２】図１の植物栽培ユニットの構成図であり、図２（ａ）は正面図、図２（ｂ）は右側面図である。
【図３】図２の水槽の斜視図である。
【図４】図４（ａ）は、図２の水槽の上層ユニットの正面図、左右側面図、および底部の平面図である。図４（ｂ）は、図２の水槽の下層ユニットの正面図である。
【図５】図３の上層ユニット１２ａの上蓋３０の説明図であり、図５（ａ）は、平面図、図５（ｂ）は正面図である。
【図６】図３の導通管と揚水ポンプの外形図である。
【図７】図１の制御装置１７のブロック図である。
【図８】図１の端末装置上に表示される状態画面の説明図である。
【図９】図１の端末装置上に表示される記録画面の説明図である。
【図１０】図１の端末装置上に表示される設定画面の説明図である。
【図１１】図２の植物栽培ユニットの透明液晶パネル上に表示される画面の遷移図である。
【図１２】図２の透明液晶パネルの画面構成の説明図である。
【図１３】図２の透明液晶パネルに表示される状態表示画面の説明図である。
【図１４】図２の透明液晶パネルに表示される記録表示画面の説明図である。
【図１５】図２の透明液晶パネルに表示される記録編集画面の説明図である。
【図１６】図２の透明液晶パネルに表示される栽培画面の説明図である。
【図１７】図２の透明液晶パネルに表示される設定画面の説明図である。
【発明を実施するための形態】
【００１６】
以下に本発明に係る植物栽培システムの実施の形態を図面に基づいて説明する。
【００１７】
図１において、本実施の形態による植物栽培システム１は、室内等で植物を栽培するための植物栽培ユニット１０、この植物栽培ユニット１０と通信回線８０ａを介して接続するサーバ装置６０およびサーバ装置６０と通信回線８０ｂを介して接続する端末装置７０から構成される。
【００１８】
（植物栽培ユニット１０の構成）
植物栽培ユニット１０は、図２に示すように概略的には、水槽１２、水槽１２の下側に設置される貯水タンク１３、ＬＥＤを用いた人工照明装置１８ｃ，ヒーター１８ａ，送風ファン１８ｂ等の被制御機器１８、温度計，湿度計等の各種センサ類１５、カメラ１６、および前記カメラ１６で撮影した画像データや各種センサ類１５からのデータを収集し、被制御機器１８へ制御信号を出力する制御装置１７、これらの機器類を収納するフレーム１１から構成されている。このフレームの下側４箇所にキャスター１９が取り付けられている。また、送風ファン１８ｂの正面にあたる図中フレーム右側面には吸気口が設けられている。さらに、フレームの水槽側一側面には、透明液晶パネル５５とその外側表面に透明タッチパネル５６が配設されている。
【００１９】
また、水槽１２の上方には天井パネル２０がフレーム１１に取り付けられており、この天井パネル２０の下面に人工照明装置１８ｃを構成するＬＥＤ１４ａが複数取り付けられ、天井パネル２０の上面には制御装置１７が設設されている。
【００２０】
本実施の形態による水槽１２は、図３、図４に示すように上層ユニット１２ａと下層ユニット１２ｂの２つに分かれている。
【００２１】
下層ユニット１２ｂは上側開口の桶状構造を有し、底の中央には排水穴４１が設けられている。この排水穴４１には、ドレン４２が接続されており、ドレンのバルブを開け閉めすることにより、水槽下層ユニット１２ｂの水を貯水タンク１３側へ流したり、止めたりする。
【００２２】
水槽１２の上層ユニット１２ａは、下層ユニット１２ｂと同様に桶状構造を有し、さらに図５に示すように上蓋３０を備える。上層ユニット１２ａは、下層ユニット１２ｂの上に重ねて一体として使用される。また、上層ユニット１２ａの上蓋３０には、栽培用スポンジ（以下、単に「スポンジ」という。）を挿入するための穴（スポンジ挿入管）３１が複数設けられている。このスポンジ挿入管３１に植物の根を包んだスポンジ３２を挿入して使用する。
【００２３】
上層ユニット１２ａの底は、図３、図４に示すように揚水ポンプ用の導通管３３，３４、排水用の穴３５および排水管（オーバーフロー管）３６が設けられている。揚水ポンプ用の導通管３３，３４からは図６に示すように、揚水ポンプ３８が通され、下層ユニット１２ｂの水を上層ユニット１２ａに汲み上げるようになっている。
【００２４】
上層ユニット１２ａでは、仕切り板３７によって植物栽培エリアとオーバーフローした水の排水エリアが分離され、前記揚水ポンプ３８は植物栽培エリアに設けられている。仕切り板３７および排水管３６は上層ユニット１２ａの高さよりも若干低く設定されている。この排水管３６は、揚水ポンプによって汲み上げられた水が一定の高さ以上になったときに下層ユニット１２ｂ側へ流す役割を担っている。
【００２５】
また、仕切り板３７によって、根の切れはし等のごみが下層ユニット１２ｂ側へ流出するのを防止し、揚水ポンプ３８のごみによる動作不良を防いでいる。また、上層ユニット１２ａにおいて、水流は表面だけではなく下側も含めて流れるようにする必要があるが、仕切り板３７が無い場合は、水槽表面に近い部分のみ水が流れ、底面に近い部分は流れがない状態になる。しかし、仕切り板３７を設けて仕切り板の下側からのみ水を通すことで、一旦仕切り板３７に水があたり、仕切り板３７を潜るようにして水が流れることで、水を効果的に掻き混ぜることが可能になる。
【００２６】
このように、揚水ポンプ３８と排水管３６との間に仕切り板３７を設置することによって、植物に養分水を均等に行き渡らせることができる。なお、上層ユニットの中央付近にも穴３５があいているが、この穴３５は、移動時などに水槽から水を抜くための穴であり、通常時は常に閉じて使用される。
【００２７】
なお、排水管３６からの排出量は、揚水ポンプ３８の揚水量（単位時間あたりに汲み上げる量）よりも大きくなるように、排水管の穴径および揚水量が設定される。
【００２８】
勿論、水感センサによって、オーバーフローを検知して、揚水量を減少させたり、あるいは揚水ポンプを停止させたりする等の制御を行うようにしても良い。
【００２９】
ユニットの制御装置１７は、図７に示すように、メインプロセッサ５１と、サブプロセッサ５２のマルチプロセッサ構成になっている。メインプロセッサ５１は、主に通信Ｉ／Ｆ５３を介してサーバ装置６０との通信を行ったり、透明液晶パネル５５へのデータ出力や透明タッチパネル５６からのデータ入力を行う。
【００３０】
メインプロセッサ５１は、透明タッチパネルから入力された、あるいはサーバ装置６０から取得した制御指令（被制御機器への設定値）を時系列的に保存する設定キューを格納するメモリ５４を有している。この設定キューはサブプロセッサ５２に渡され、サブプロセッサ５２はこの設定キューに基づいて、各被制御機器１８を制御する。
【００３１】
サブプロセッサ５２は、温度センサ等の図７に示したセンサ類１５からセンサ値（環境データ）を入力してメモリ（図示せず）に保存する一方、メインプロセッサ５１から渡される設定キューに基づいて人工照明装置１８ｃや送風ファン１８ｂ、ヒーター１８ａ等の被制御機器１８に対して制御指令を出力する。
【００３２】
サブプロセッサ５２は、人工照明装置１８ｃに対しては、たとえば、日長、波長毎照度等の設定値に基づいて、一定時間ごとに夫々のＬＥＤ１４ａに対するＲＧＢ値を出力する。人工照明装置１８ｃは、このＲＧＢ値を受け取ると、ＬＥＤ制御基板１４ｂを通して、天井パネル２０に取り付けられた個々のＬＥＤ１４ａを制御する。また、水温設定値に基づいてヒーター１８ａに対して制御指令を出力し、風量設定値に基づいて送風ファン１８ｂに対して制御指令を出力する。
【００３３】
メインプロセッサ５１は、一定時間ごとにサブプロセッサ５２が保有しているセンサ値を取得する。メインプロセッサ５１は、このセンサ値とカメラ１６から取得した画像データとを栽培記録としてサーバ装置６０へ登録したり、サーバ装置６０を経由して他のサイトへ投稿したりすることができる。サーバ装置６０に登録された画像データは、定点観測画像として再生することができる。
【００３４】
端末装置７０は、たとえばタブレット型端末を使用することができる。ブラウザベースで動作させ、サーバ装置６０から送られてきた栽培記録をもとに、育成者は植物栽培ユニット１０の各センサ１５が取得したデータの現在値や積算値の確認を行うことができる。また、育成者は、端末装置７０から植物栽培ユニット１０のＬＥＤの照度、日長（照明時間）、送風ファンの風量調整、ヒーター温度の設定を行うことができる。
【００３５】
次に、植物栽培システム１の動作について説明する。
本システム１の特徴は、植物栽培ユニット１０側での監視制御と、端末装置（遠方）７０側での監視制御の両方を効果的に行うところにある。
【００３６】
（１）端末装置側での監視制御
（監視処理）
まず、植物栽培ユニット１０の制御装置のサブプロセッサ５２は、各種センサ１５（１５ａ〜１５ｇ）からセンサ値（環境データ）を収集すると、そのセンサ値はメインプロセッサ５１に渡され、メモリ５４に保存される。また、メインプロセッサ５１は、カメラ１６から画像データを取得し、同様にメモリ５４に保存する。メインプロセッサ５１は、メモリ５４に保存されている環境データと画像データを栽培記録として通信回線８０ａを通してサーバ装置６０へ送信する。サーバ装置６０は、植物栽培ユニット１０から送られてくる栽培記録を受信すると植物栽培システムのＩＤ、端末装置ＩＤと関連付けてサーバ装置６０の記憶部（データベース）６１に保存する。サーバ装置６０は、端末装置７０から要求に応じて栽培記録を当該端末装置７０に送信する。
【００３７】
図８は、端末装置上に表示される状態画面の例である。
ユニットの温度、湿度、水温、気圧、ＰＨ、ＣＯ２濃度、日長、照度、水位、風量などの現在値のほか、グラフ表示よって、時間経過によるデータの推移が表示される。
【００３８】
なお、水位センサによって計測した水位が一定値よりも低下している場合は、状態画面の水位を色別表示することにより育成者に注意喚起する。また、風量は、その値がどの範囲に属するかによってアイコンを変化させるようにしてもよい。
【００３９】
図９は、記録画面の一例である。育成者は、端末装置７０からコメントを入力する。なお、図９に示すように、コメント入力画面には、温度などの環境データや植物の撮影画像などの栽培記録を表示させるようにするとよい。これにより、育成者は、画面上に表示されている栽培記録を確認しながら、コメントを入力することができ利便性が向上する。
【００４０】
また、記録画面では、日付や時刻を入力することにより、その日時の栽培記録と共に、育成者が入力したコメントを表示するようになっている。
【００４１】
（制御処理）
図１０は、設定画面の例である。
育成者は、端末装置の設定画面から水温、風量、照度、日長などの設定値、すなわち各被制御機器１８（１８ａ，１８ｂ，１８ｃ）への制御指令を入力することができる。入力された設定値は、通信回線８０ｂを介してサーバ装置６０に送ら、サーバ装置６０の記憶部６１に保存される。この設定値は、植物栽培ユニット１０からの要求に応じて植物栽培ユニット１０へ送信される。
【００４２】
植物栽培ユニット１０のメインプロセッサ５１は、サーバ装置６０から送られてくる設定値を入力すると設定キューとして登録する。サブプロセッサ５２は、メインプロセッサ５１から設定キューを受け取ると、その設定値に基づいて該当する被制御機器１８へ制御指令を出力する。
【００４３】
上記の動作を実現させるためには、植物栽培ユニット１０と端末装置向けサイトの連携を図るために、次に示すWEB API（ＷＥＢサービスと連携させるためのアプリケーションプログラミング・インタフェース）をサーバ装置上に構築するのが効果的である。
【００４４】
（APIの概要）
（ａ）状態の登録(setStatus)
植物栽培ユニット１０のメインプロセッサ５１は、一定周期で（たとえば１分毎に）このAPIを呼び出して、各種センサで取得した値と設定値・記録データをサーバ装置６０の記憶部６１に登録する。
【００４５】
ここで、センサ取得値は、気温・水温・湿度・気圧・ｐH・CO2濃度・水位・照度などのデータである。また、設定値は、日長・昼用LED（RGB）・夜用LED(RGB)・水温・風量などのデータである。記録データは、コメントや植物の設営画像である。
【００４６】
（ｂ）サーバ装置側で設定した設定値の取得(getSettingQue)
端末装置７０を介してサーバ装置６０（WEBアプリ）に入力された設定値（設定キューデータ）を取得する。この設定値としては、日長・昼用LED（RGB）・夜用LED(RGB)・水温・風量などがある。
【００４７】
（ｃ）サーバ装置側で設定した設定値の削除(clearSettingQue)
端末装置７０を介してサーバ装置６０の記憶部６１に登録された設定キューデータを削除する。たとえば、getSettingQueを呼び出した後、この設定キューデータに基づいて植物栽培ユニット側での設定の変更処理を行い、setStatus、続いてclearSettingQueの順で呼び出して、取得した設定キューデータを削除する。
【００４８】
なお、植物栽培ユニット側で設定が更新された場合は、始めにclearSettingQueを呼び出して、サーバ装置上の全ての設定キューデータを削除するのが良い。
【００４９】
（ｄ）サーバ装置側で設定したコメントの取得(getCommentQue)
端末装置７０を介してサーバ装置６０に設定されたコメント（コメントキューデータ）を取得する。
【００５０】
（ｅ）サーバ装置側で設定したコメントの削除(clearCommentQue)
端末装置７０を介してサーバ装置６０に設定されたコメント（コメントキューデータ）を削除する。たとえば、getCommentQueを呼び出した後、このキューに基づいて植物栽培ユニット１０側でコメントの更新を行い、setStatus、続いてclearCommentQueの順で呼び出して、取得したコメントキューを削除する。
【００５１】
なお、植物栽培ユニット側でコメントが更新された場合は、始めにclearCommentQueを呼び出して、サーバ装置６０上の全てのコメントキューを削除するのが良い。
【００５２】
（２）植物栽培ユニット側の監視制御
（監視処理）
植物栽培ユニット１０の透明液晶パネル５５上には、制御装置１７から表示データを出力することによって、データが表示される。
図１１は、植物栽培ユニット１０の透明液晶パネル５５に表示される画面の遷移図である。初期状態では、状態表示画面が表示され、当該画面から、設定画面や記録表示画面など所定の画面に移行できるようになっている。
【００５３】
図１２は、透明液晶パネル５５の画面構成の説明図である。画面の左側は、メニュー選択や状態表示を行うエリア、画面の上側は、設定データや観測データなどのメインコンテンツが表示されるエリアになっている。また、画面の右下部は、透過状態にするエリアである。このエリアを通して、育成者はユニット内部の栽培の様子を直接観察することができる。
【００５４】
このように、水槽上方にＬＥＤ光源を配置したときに、データを透明液晶パネル５５の上側（光源側）に表示することにより、植物の視認性を維持しつつデータの視認性が良くすることができる。このような表示配置を実現するためには、フレームの一側面の、水槽の上層ユニット１２ａの底付近から上方のＬＥＤ光源より下の一定領域に窓穴をあけ、当該窓穴を遮蔽する位置に透明液晶パネル５５を配設するのが良い。
【００５５】
特に、ＬＥＤ光源は、時間帯によってその光源色や照度が変化するが、光源に近い側にデータの表示領域を取り、光源から遠い側にユニット内の栽培状況の観察領域を取ることによって、光源色や照度の変化による情報の視認性を維持することができる。この条件下で、特にデータの表示領域を黒地にして文字色を白（透明）にすると文字の視認性が良くなる。
【００５６】
育成者は、透明タッチパネル上で所定の項目を選択すると、そのデータはメインプロセッサ５１に読み込まれる。すると、メインプロセッサ５１は、該当する画面を透明液晶パネル上に表示する。
【００５７】
図１３は、透明液晶パネル５５に表示される状態表示画面例である。上述したように、監視画面は、データの表示領域（画面左および上側）と栽培状況の観察領域（画面右下の透明エリア）から構成されている。この画面例では、画面上側に各センサ値のトレンドグラフが左右にスワイプ表示されるようになっている。
【００５８】
図１４は、記録表示画面の例である。画面上には、カレンダと、写真シャッターボタン、画像再生ボタン、コメント編集ボタンなどが表示されている。育成者が写真シャッターボタンを押下すると、カメラ１６からその時点の画像が取り込まれメモリ５４に保存される。画像再生ボタンを押下すると、メモリ５４に保存されている画像が再生される。
【００５９】
また、コメント編集ボタンを押下すると、図１５の記録編集画面が表示され、画面上のコメント入力ボックスを通して、コメントを入力できるようになっている。入力されたコメントは、メモリ５４に保存される。
【００６０】
図１６は、栽培画面の例である。画面上のデータ表示領域には、環境データが表示され、その下の観察領域は透明になり、ユニット内の植物を直接観察できるようになっている。
【００６１】
（制御処理）
図１７は、透明液晶パネル５５に表示される設定画面例である。画面上側で昼夜別のＲＧＢ値や日長、水温、風量が設定可能になっている。また、画面右下は観察領域である。育成者は透明の画面を通して、ユニット内の植物を観察しながら、設定値を入力することができる。
【００６２】
育成者は、タッチパネル５６を通して、設定値を入力する。入力された設定値は、時系列的にリンク付けされ、設定キューとしてメインプロセッサ５１のメモリ５４に保存される。メインプロセッサ５１は、この設定キューをサブプロセッサ５２に渡す。
【００６３】
サブプロセッサ５２は、この設定キューにしたがって、被制御機器１８に対して制御指令を出力する。
【００６４】
以上、本実施の形態によれば、植物栽培場所のみならず、サーバ装置を介して端末装置から栽培のためのデータ設定や、栽培状況の観察を行うことができ、外出先からでも自宅にいるのと同様に植物を育成することができる。
【００６５】
さらに、育成者は、端末装置側では、必要な栽培データを表示しながら、ユニット内のカメラの撮影画像によって植物を観察することこができ、一方ユニット側では、透明液晶パネルによって、必要な栽培データを表示しながら、植物を直に観察することこができるので、利便性が向上する。
【００６６】
また、キュー形式によって、設定値を保存しておき、ユニット側で設定値が入力されたときは、サーバ装置の設定キューをクリアするので、ユニット側，端末側の双方からの制御指令に対する不整合を防止することができる。
【符号の説明】
【００６７】
１    植物栽培システム
１０    植物栽培ユニット
１１    フレーム
１２    水槽
１２ａ    上層ユニット
１２ｂ    下層ユニット
１３    貯水タンク
１４ａ   ＬＥＤ
１４ｂ    制御基板
１５    センサ
１６    カメラ
１７    制御装置
１８    被制御機器
１８ａ    ヒーター
１８ｂ    送風ファン
１８ｃ    人工照明装置
１９    キャスター
２０    天井パネル
３０    上蓋
３１     スポンジ挿入管
３３，３４    導通管
３５     穴
３６    排水管
３７    仕切り板
３８    揚水ポンプ
４１    排水穴
４２    ドレン
５１    メインプロセッサ
５２    サブプロセッサ
５４    メモリ
５５    透明液晶パネル
５６    透明タッチパネル
５６    タッチパネル
６０    サーバ装置
６１    記憶部
７０    端末装置
８０ａ，８０ｂ    通信回線
【図１】
2014217309.tif 000003
【図２】
2014217309.tif 000004
【図３】
2014217309.tif 000005
【図４】
2014217309.tif 000006
【図５】
2014217309.tif 000007
【図６】
2014217309.tif 000008
【図７】
2014217309.tif 000009
【図１１】
2014217309.tif 000010
【図８】
2014217309.tif 000011
【図９】
2014217309.tif 000012
【図１０】
2014217309.tif 000013
【図１２】
2014217309.tif 000014
【図１３】
2014217309.tif 000015
【図１４】
2014217309.tif 000016
【図１５】
2014217309.tif 000017
【図１６】
2014217309.tif 000018
【図１７】
2014217309.tif 000019